(57)【要約】サービスに対応しないか、もしくはパケットデータサービスローミング契約を有さないワイヤレスネットワークへのエントリを備える現在のブラックリストは、そのようなネットワークへ接続しようとする以前の試みに基づいて、モバイルデバイスのメモリに保持される。現在の好ましいローミングリストは、所定のワイヤレスネットワークが取得され得るか識別するが、データサービスローミング契約が存在するかは識別しない。データサービスローミング契約に関する予備知識は要求されず、データサービスローミング契約が変更するときモバイルデバイスソフトウェアの変更は要求されず、モバイルデバイスはワイヤレスネットワークのステータス変更をサーバに通知し、モバイルデバイスにおける顕著な省力化、および不必要なネットワークアクセスを避けることによりネットワーク資源と容量とを節約する利点のうち少なくとも１つを提供する。
2006505201.tif 000002
【特許請求の範囲】
【請求項１】
ワイヤレスネットワークによって提供されるパケットデータサービスに対応する能力があるモバイルデバイスであって、
パケットデータサービス認証情報を該ワイヤレスネットワークと交換するトランシーバと、
メモリと、
該メモリに提供された現在のブラックリストであって、該現在のブラックリストはパケットデータサービスを該モバイルデバイスに提供しないワイヤレスネットワークを識別し、該現在のブラックリストは以前のパケットデータサービス認証拒絶に基づいている、現在のブラックリストと、
新しく受信したパケットデータサービス認証情報に応答して、該現在のブラックリストを更新するプロセッサと
を備える、モバイルデバイス。
【請求項２】
前記現在のブラックリストは、
パケットデータサービスを前記モバイルデバイスに提供しない各ワイヤレスネットワークのためのシステム識別子およびネットワーク識別子と、
パケットデータサービスを該モバイルデバイスに提供しない各ワイヤレスネットワークのためのタイマー値と、
パケットデータサービスを該モバイルデバイスに提供しない各ワイヤレスネットワークのためのエイジタイマーと、
ブラックリストに載せられたワイヤレスネットワークの識別がサーバにパスされたか否かを示すフラグとから成るグループから選択される要素を含む、請求項１に記載のモバイルデバイス。
【請求項３】
前記現在のブラックリストは、サーバから受信した複合現在のブラックリストを含む、請求項１に記載のモバイルデバイス。
【請求項４】
現在のブラックリストを有するモバイルデバイスのためのデータサービス発見方法であって、
ワイヤレスネットワークを検出するステップと、
該モバイルデバイスに格納された該現在のブラックリストを検査するステップと、
該検出されたワイヤレスネットワークが該現在のブラックリストに載っていた場合、所定期間いずれのパケットデータ呼び出しの試みもすることを控えるステップと、
さもなければ、該ワイヤレスネットワークがパケットデータサービスを該モバイルデバイスに提供するか否かを判断し、該ワイヤレスネットワークが該モバイルデバイスにパケットデータサービスを提供しない場合、該ワイヤレスネットワークを該現在のブラックリストに追加するステップと
を包含する、方法。
【請求項５】
前記検査するステップの前に、前記ワイヤレスネットワークがデータサービスに対応するか否かを判断するステップをさらに包含する、請求項４に記載の方法。
【請求項６】
前記ワイヤレスネットワークがパケットデータサービスを前記モバイルデバイスに提供するか否かを判断するステップは、該ワイヤレスネットワーク上の該モバイルデバイスを認証するステップを包含する、請求項４に記載の方法。
【請求項７】
前記現在のブラックリストに追加されるワイヤレスネットワークと関連するエイジタイマーを開始するステップと、
リセット条件を満たすことに応答してワイヤレスネットワークと関連するエイジタイマーをクリアするステップと、
新しくブラックリストに載せられたワイヤレスネットワークのサーバを通知するステップと、
サーバから複合現在のブラックリストを受信するステップとから成るグループから選択されるステップをさらに包含する、請求項４に記載の方法。
【請求項８】
プロビジョニングリセット条件に応答して前記現在のブラックリストをクリアするステップをさらに包含する、請求項４に記載の方法。
【請求項９】
モバイルデバイスが、以前にパケットデータサービスを該モバイルデバイスに提供していなく、かつ現在パケットデータサービスを該モバイルデバイスに提供しているワイヤレスネットワークを発見する場合、前記サーバに通知を送信するステップと、
該サーバから他のモバイルデバイスに通知を送信して、以前にパケットデータサービスを提供してないが最近パケットデータサービスを提供しているワイヤレスネットワークのエントリをクリアするステップとから成るグループから選択されるステップをさらに包含する、請求項４に記載の方法。
【請求項１０】
ワイヤレスネットワークにおいてパケットデータサービスが通知する方法であって、
該ワイレスネットワークは、サーバとモバイルデバイスとを含み、
該方法は、
該サーバにおいて、新しく電源投入されたモバイルデバイスの登録を受信するステップと、
該新しく電源投入されたモバイルデバイスにパケットデータサービスを提供しないワイヤレスネットワークを識別するサーバに格納された現在のブラックリストを取り出すステップと、
該サーバに格納された現在のブラックリストを該サーバから該新しく電源投入されたモバイルデバイスに送信して、該モバイルデバイスが受信して格納するステップとを包含する、方法。
【発明の詳細な説明】
【技術分野】
【０００１】
本出願は、２００２年１１月４日に出願された米国特許仮出願番号第６０／４２３３５５号の優先権の利益を主張する。
【０００２】
（発明の分野）
本発明は、先験的な知識なしにワイヤレスネットワークにおけるモバイルデバイスに提供されたサービスの発見に関する。本発明は、特にモバイルデバイスに提供されたパケットデータサービスの発見に関する。
【背景技術】
【０００３】
（発明の背景）
ＣＤＭＡ（符号分割多重接続）ネットワークにおいて、システム識別子（ＳＩＤ）は、サービスプロバイダならびに所定の地理的領域を識別する。システム内のネットワークは、ネットワーク識別子またはＮＩＤを与えられる。ネットワークは、ペア（ＳＩＤ、ＮＩＤ）によって一意に識別される。図１は、種々のシステム識別子とネットワーク識別子との間の関係を示すネットワーク雲１００を図示する。
【０００４】
ＣＤＭＡモバイルデバイスは、通常、好ましいローミングリスト（Ｐｒｅｆｅｒｒｅｄ  Ｒｏａｍｉｎｇ  Ｌｉｓｔ）（ＰＲＬ）と呼ばれるエンティティを有するオペレータによって予めプログラミングされている。ＰＲＬはまた、周知の電波媒体で提供する方法を用いてモバイルデバイスにダウンロードされ得る。図２は、従来の好ましいローミングリスト１０２を簡略化して表したものを示す。ＰＲＬは、多数の数を備え、どのシステムをモバイルデバイスは取得することを許可されるのかを示す。この例では、各記録がその（ＳＩＤ、ＮＩＤ）ペアによってシステムを識別し、システムを取得しようと試みるときにモバイルデバイスが用いることになっている周波数を提供する。各記録に対して、システムが好ましいか否か、ローミングステータス、システムの相対的な優先順位、およびシステムの地理的領域のインジケータがあり得る。システム取得の一部として、モバイルデバイスはＰＲＬに基づく一組の周波数にＣＤＭＡ監視チャネル（ＣＤＭＡ  Ｐｉｌｏｔ  Ｃｈａｎｎｅｌ）を検索する。取得されたシステムの（ＳＩＤ／ＮＩＤ）情報は、モバイルデバイスが監視チャネルを取得すると、同期チャネル（Ｓｙｎｃ  Ｃｈａｎｎｅｌ）上のモバイルデバイスに伝達される。ＰＲＬは、モバイルデバイスが取得することを許可されるシステムに関する情報を含むのみである。ＰＲＬは、所定のネットワーク上で許可されるサービスのタイプに関する情報は有さない。通常、ＰＲＬは、ある程度の音声サービスがネットワーク上で利用可能であることを示すのみである。
【０００５】
「常時オン、常時接続」モバイルデバイスは継ぎ目のない移動性を対応するために常にデータ接続性を維持する必要がある。これにより、モバイルデバイスはシステムを変更するときはいつでもデータ接続性を再構築することを要求される。しかしながら、モバイルデバイスは、所定のシステム上にデータ呼出しをすることが許可されるかについて先験的な知識を有さない。たとえ、ネットワークがパケットデータサービスに対応する能力があることを示しても、モバイルデバイスがデータ呼出しをすることを許可される保証はない。モバイルデバイスは、データ呼出し発生の試みをした後に、そのような情報について見出すことのみできる。データローミングサービス契約が、関連のサービスプロバイダ間にある場合、モバイルデバイスは真のデータ移動性を有することのみできる。オペレータ間のローミング契約は、必ずしも全ての利用可能なサービスに及ぶわけではない。たとえば、２つのオペレータが音声サービスローミング契約を有し得るが、パケットデータサービスローミング契約は有さない。現在、この情報をモバイルデバイスに伝達する標準的なメカニズムがない。その結果、モバイルデバイスは、盲目的なデータ呼出し発生の試みをして、データ呼出しをすることが許可されているか否かを見出すことを余儀なくされている。これは、特にモバイルデバイスが、データ呼出しが許可されないシステムに出たり入ったりする地理的領域において、バッテリー寿命に大きな支障を与える。したがって、データサービスの利用可能に関してネットワークとの相互作用を効率的に取り扱う能力があるデバイスが必要である。
【発明の開示】
【発明が解決しようとする課題】
【０００６】
（発明の要旨）
従来のサービス発見構造に関する少なくとも１つの不利を取り除くか、または緩和することが本発明の目的である。特に、モバイルデバイスへのデータサービスの発見に関する改良を提供することは有利である。
【課題を解決するための手段】
【０００７】
本発明の一局面に従って、ワイヤレスネットワークによって提供されたパケットデータサービスに対応する能力があるモバイルデバイスが提供される。モバイルデバイスは、メモリ並びにパケットデータサービス認証情報をワイヤレスネットワークと交換するトランシーバを含む。モバイルデバイスはまた、メモリに提供された現在のブラックリストを含み、この現在のブラックリストはパケットデータサービスをモバイルデバイスに提供しないワイヤレスネットワークを識別し、また、現在のブラックリストは以前のパケットデータサービス認証拒絶に基づく。モバイルデバイスはさらに、新しく受信したパケットデータサービス認証情報に応答して、現在のブラックリストを更新するプロセッサを含む。
【０００８】
本発明の別の局面に従って、現在のブラックリストを有するモバイルデバイスのためのデータサービス発見方法が提供される。この方法は以下のステップを包含する。つまり、ワイヤレスネットワークを検出するステップと、モバイルデバイスに格納された現在のブラックリストを検査するステップと、検出されたワイヤレスネットワークが現在のブラックリストに載っている場合、所定期間いずれのパケットデータ呼び出しの試みもすることを控えるステップとを包含する。もしくは、この方法は以下のステップを包含する。つまり、ワイヤレスネットワークがパケットデータサービスをモバイルデバイスに提供するかを判断するステップと、ワイヤレスネットワークがモバイルデバイスにパケットデータサービスを提供しない場合、ワイヤレスネットワークを現在のブラックリストに追加するステップとを包含する。
【０００９】
本発明のさらに別の局面に従って、ワイヤレスネットワークにおいてパケットデータサービスが通知する方法が提供され、このワイレスネットワークは、サーバとモバイルデバイスとを含む。この方法は以下のステップを包含する。つまり、サーバにおいて、新しく電源投入されたモバイルデバイスの登録を受信するステップと、新しく電源投入されたモバイルデバイスにパケットデータサービスを提供しないワイヤレスネットワークを識別するサーバに格納された現在のブラックリストを取り出すステップと、サーバに格納された現在のブラックリストをサーバから新しく電源投入されたモバイルデバイスに送信して、モバイルデバイスが受信して格納するステップとを包含する。
【００１０】
本発明の他の局面および特徴は、添付の図面と併せて本発明の特定の実施形態に関する以下の説明をよく見ると当業者に対して明らかになる。
【００１１】
本発明の実施形態は、単なる例として添付された図面を参照してここで説明される。
【発明を実施するための最良の形態】
【００１２】
（詳細な説明）
概して、本発明は、先験的な知識なしでパケットデータサービス発見のための方法と装置とを提供する。パケットデータサービスを提供しないワイヤレスネットワークのためのエントリを備える現在のブラックリストは、モバイルデバイスのメモリに保持されており、これはそのようなネットワークへの要求を不必要に繰り返すことを避けるためである。現在の好ましいローミングリストは、所定のワイヤレスネットワークが取得され得るかを識別し得るが、データサービスローミング契約が存在するかは識別しない。本発明に従ったモバイルデバイス、またはモバイルステーション、もしくは本発明に従った方法を採用することは、パケットデータ呼出しをすることを許可されるワイヤレスネットワークをダイナミックに「自動発見」する。パケットデータサービスを提供しないワイヤレスネットワーク（すなわち、サービスに対応しないか、もしくはパケットデータサービスローミング契約を有さないワイヤレスネットワーク）のリストは、そのようなネットワークに接続しようとした以前の試みに基づいて、モバイルデバイスのメモリに保持される。
【００１３】
本発明は、以下の利点のうち少なくとも１つ提供する。つまり、データローミング契約に関する予備知識はモバイルデバイスにおいて要求されず、データローミング契約が変更するとき、モバイルデバイスソフトウェアの変更は要求されず、モバイルデバイスは任意のワイヤレスネットワークのステータス変更に関して、そのホームサーバに通知し得、顕著な省力化がモバイルデバイスにおいて実現され、および不必要なワイヤレスネットワークアクセスはネットワークにおいて避けられ、これによりネットワーク資源と容量とを節約する利点のうち少なくとも１つを提供する。
【００１４】
以下の段落は明細書で用いられる用語の定義を提供する。
【００１５】
ここで用いられるように、用語「モバイルデバイス」は、少なくとも音声およびデータの通信能力を有する電子デバイスを含む。モバイルデバイスは、好ましくは、音声サービスとパケットデータサービスとの双方に対応する能力があるツーウェイのワイヤレス通信デバイスである。この説明ではパケットデータサービスの使用および提供を参照するが、本発明は有利に、他タイプのデータサービスとともに用いられ得る。提供された正確な機能次第では、モバイルデバイスは本発明分野において、異なる用語によって、たとえばデータメッセージングデバイス、ツーウェイポケットベル、ワイヤレス電子メールデバイス、データメッセージング能力を有する携帯電話、ワイヤレスインターネット家電またはデータ通信デバイスと呼ばれ得る。
【００１６】
ここで用いられるように、用語「ワイヤレスネットワーク」は、モバイルデバイスにワイヤレスまたはモバイルサービス（たとえば、パケットデータサービス）を提供する少なくとも１つのコンポーネントを有する、ネットワークまたはシステム、もしくはそのようなネットワークまたはシステムのオペレータまたはキャリアを含む。
【００１７】
パケットデータサービスに「対応する」ワイヤレスネットワークは、パケットデータサービスをモバイルデバイスに提供することができるために、必要なハードウェアとソフトウェアとを適所に有する。パケットデータサービスに「対応しない」ワイヤレスネットワークは、パケットデータサービスをモバイルデバイスに提供することができるために、必要なハードウェアとソフトウェアとを適所に有さない。
【００１８】
ワイヤレスネットワークは、パケットデータサービスに対応し、またモバイルデバイスがパケットデータサービスを使用することを許可する（または可能にする）とき、パケットデータサービスをモバイルデバイスに「提供する」。この許可は、たとえば、キャリア、サービスプロバイダ、またはネットワークオペレータ間のパケットデータサービスローミング契約に従い得る。パケットデータサービスをモバイルデバイスに「提供しない」ワイヤレスネットワークは、パケットデータサービスに対応しないか、もしくはパケットデータサービスに対応するが、たとえばパケットデータサービスローミング契約がないために、このモバイルデバイスはパケットデータサービスを使用することを許可されない。
【００１９】
本発明の実施形態がともに使用され得る、２つの主なタイプのＣＤＭＡパケットデータネットワークがある。第１のタイプはシンプルＩＰ（ＳＩＰ）ネットワークであり、このネットワーク内ではモバイルデバイスは固定インターネットプロトコル（ＩＰ）アドレスを有さない。ＳＩＰネットワーク内のモバイルデバイスのＩＰアドレスは、場所等に対して、自然と変化する。ラジオリンクプロトコル通信がモバイルデバイスとラジオネットワーク（ＲＮ）との間に構築されると、ＲＮはＲＮとパケットデータ供給ノード（ＰＤＳＮ）との間のＲ−Ｐインターフェースを開始する。モバイルデバイスは、ＲＡＤＩＵＳサーバを介して供給するＰＤＳＮから認証され、その後にＩＰアドレスを割り当てられる。ＰＤＳＮはそれから、モバイルデバイスに接続性（たとえば、インターネット、イントラネット（図示せず）、または一般的にＩＰネットワークへの接続性）を提供する。モバイルデバイスはＰＤＳＮ境界を越えて移動するので、必要な場合は新しいＩＰアドレスが割り当てられる。「常時オン、常時接続」のモバイルデバイスは通常、そのホームサーバにモバイルデバイス自身のＩＰアドレスを通知し、その結果パケットはモバイルデバイス自身のサーバ（たとえば企業サーバ）からモバイルデバイスにプッシュされ得る。通常、ホームサーバＩＰアドレスは固定されており、モバイルデバイスに知られている。
【００２０】
第２のタイプはモバイルＩＰ（ＭＩＰ）ネットワークであり、このネットワーク内ではモバイルデバイスはスタティックＩＰアドレスを有し得、これはモバイルデバイスのホームワイヤレスネットワークによって割り当てられる。ホームエージェントＩＰアドレスもまた、モバイルデバイスにプログラミングされる。モバイルデバイスがフォーリンネットワークにローミングし、データセッションをセットアップしようと試みるので、フォーリンエージェント（事実上、ＰＤＳＮである）は、モバイルデバイス特定のホームエージェントと通信し、それからモバイルデバイスに気付アドレス（ＣｏＡ）を割り当てる。ＭＩＰネットワークにおけるモバイルデバイスのホームＩＰアドレスは、場所、時間等にかかわらず、変化しないことが可能である。データをモバイルデバイスに送信する他の装置またはサーバは、そのホームＩＰアドレスを知っている必要だけあり、ＣｏＡを知っている必要はない。
【００２１】
ＳＩＰおよびＭＩＰネットワークの特定例は、それぞれ、図３と図４とに関連してさらに詳細に説明される。図３は、シンプルＩＰネットワークにおける認証に用いられたシステムを図示する。
【００２２】
図３において、モバイルデバイス１０４はラジオネットワーク（ＲＮ）１０６と通信する。ＲＮ１０６は、呼出しセットアップ、ハンドリングハンドオフといった機能を行い、ラジオリンクプロトコル（ＲＬＰ）層またはその下位の層においてタスクを行う。ＲＮ１０６はまた、パケットデータ供給ノード（ＰＤＳＮ）１０８と通信する。ＰＤＳＮは、第三世代（３Ｇ）ネットワークにおいて使用され、ＩＰアドレスの範囲を有し、ＩＰアドレスの管理を行い、セッションを維持し、そしてキャッシュを行い得る。ＰＤＳＮは、ＲＮを利用するモバイルデバイスへのインターネットサーバ、イントラネットサーバおよびワイヤレスアプリケーションプロトコル（ＷＡＰ）サーバへのアクセスを提供する。ＰＤＳＮは、ＭＩＰネットワーク内でフォーリンエージェント（ＦＡ）の対応を提供し、仮想プライベート通信網へのパケットトランスポートを提供する。
【００２３】
リモート認証ダイヤルインユーザサービス（ＲＡＤＩＵＳ）サーバ１１０は、パケットデータサービスの認証、許可およびアカウンティング（ＡＡＡ）に関する機能を行うことを担う。ＲＡＤＩＵＳサーバはＡＡＡサーバとしても知られる。ＲＡＤＩＵＳサーバ１１０は、ＩＰネットワーク１１２に接続される。ＰＤＳＮ１０８は、ＩＰネットワーク１１２を介してたとえば他のＲＡＤＩＵＳサーバといった他のネットワークエンティティと通信する。
【００２４】
図３のようなＳＩＰシステムにおける認証ステップは一般的に、システムアクセス認証とデータ認証とを備える。システムアクセス認証は、認証の第１レベルとしてホームロケーションレジスタ／認証センタ（ＨＬＲ／ＡＣ）によって行われる。システムアクセス認証ステップにおいて、ＲＮ１０６はグローバルチャレンジを送信し、モバイルデバイス１０４は応答を送信する。このステップはデータセッションが構築される前に行われる。
【００２５】
次に、データ認証ステップが行われる。これは通常、たとえばチャレンジハンドシェイク認証プロトコル（ＣＨＡＰ）およびパスワード認証プロトコル（ＰＡＰ）といった周知のスキームを用いて行われる。
【００２６】
データローミング契約がない場合、認証ステップの１つ（通常、データ認証ステップ）は失敗する。そのような場合に何をするかについて標準的な規定がないので、モバイルデバイスは試し続ける。これは常にデータ接続性を維持するものとされる「常時オン、常時接続」モバイルデバイスに関連する。さらに、ＣＤＭＡ標準にしたがって、「休止状態の」モバイルデバイスは、ＮＩＤ、ＳＩＤまたはパケットゾーン識別子に変化がある度に既存の休止状態のデータ接続に再度接続することを要求される。「休止状態の」モバイルデバイスは既に、ネットワークを有するＰＰＰコンテクストを構築してもなお、新しいワイヤレスネットワークへ再度接続する試みは失敗し得る。さらに、「常時オン、常時接続」モバイルデバイスは、ホームサーバから適切なゲートウェイへのデータの適切および効率的な経路指定を容易にするために、現在のＳＩＤにおける変化がある場合には、そのホームサーバに通知することを要求され得る。そのような条件でデータセッションをセットアップしようとするが失敗に終わる試みを繰り返すことにより、ネットワークトラフィック量を不必要に増加させる効果があり、またモバイルデバイスのバッテリー寿命を縮小させる。さらに、モバイルデバイスがサービス領域の境目にある場合、デバイスがホームネットワーク上で認証しようとすることとフォーリン（ｆｏｒｅｉｇｎ）ネットワーク上で認証しようとすることとの間で交代するといった「ピンポン」効果があり得る。
【００２７】
図４は、ＭＩＰネットワークにおける認証のために用いられるシステムを示す。図４において、モバイルデバイス１０４は、固定されたホームＩＰアドレス、固定されたホームエージェントアドレスを格納し、固定されたホームサーバアドレスを格納し得る。図４におけるＰＤＳＮ１０８はまた、フォーリンエージェントとも呼ばれ得る。フォーリンエージェント１０８は、ホームエージェント１１４と通信し、このホームエージェント１１４はそれ自身のＲＡＤＩＵＳサーバ１１６を有する。フォーリンエージェント１０８がホームエージェント１１４と通信するために必要な情報を発見すると、認証は実際ホームエージェント１１４において行われる。ホームエージェント１１４はモバイルデバイス１０４を対象とした全てのパケットデータサービスを受信し、フォーリンエージェント１０８にそれらを送信し、それからフォーリンエージェント１０８がモバイルデバイスにそれらを送信する。ホームエージェント１１４はモバイルデバイス１０４へのＣｏＡを格納し、モバイルデバイスのホームＩＰアドレスをＣｏＡにマッピングする。図４において、ＰＤＳＮ供給ノードのＲＮは、モバイルステーションコントローラ（ＭＳＣ）１１８を介して、ホームロケーションレジスタ（ＨＬＲ）１２０にＳＳ７ネットワーク１２２を介して通信し得る。
【００２８】
ＭＩＰシステムにおける認証ステップは、ＳＩＰの場合のように初期のシステムアクセス認証ステップを含む。しかしながら、ＭＩＰネットワークにおいて、その後に続くデータ認証ステップは、たとえばフォーリンエージェントチャレンジ（ここでフォーリンエージェントがモバイルデバイスに応答してほしいと頼むメッセージを送信する）、ＭＮ−ＡＡＡＨ認証ステップおよびＭＮ−ＨＡ認証ステップ（ここでＭＮはモバイルノードまたはモバイルデバイスを表し、ＡＡＡＨはホームＲＡＤＩＵＳまたはＡＡＡサーバを表し、ＨＡはホームエージェントを表す）といった複数のステップを包含する。データ認証ステップは、認証の１つ以上のこれらのレベルを備え得る。これら認証ステップのうちいずれか１つが失敗する場合、これはデータローミング契約がないことを示す。
【００２９】
図５は、ワイヤレスネットワークコンポーネントおよびモバイルデバイスのホームサーバとの関連で、本発明の実施形態に従ったモバイルデバイスを示す。モバイルデバイス１０４はＲＮ１０６と通信し、それは前述したようにＰＤＳＮ１０８と通信し得る。ＰＤＳＮ１０８は、図５においてＰＤＳＮ側のルータＡ１２４とホームサーバ側のルータＢ１２６とによって図示されたものといった中間のデバイスを用いて、モバイルデバイスと関連したホームサーバ１２８と通信し得る。
【００３０】
図５は、現在のブラックリスト１２２を有するモバイルデバイスを示す。ここで用いられるブラックリストは、パケットデータサービスをモバイルデバイスに提供しないワイヤレスネットワークを識別するデータの集まりを表す。ブラックリストは、好ましくは、各リストに載せられたネットワークが一意的に識別され得る形式で格納され、以下でさらに詳細に説明される。そのようなブラックリストは、好ましいローミングリストと対照的であり、この好ましいローミングリストはこの技術分野において周知のものであり、リスト内には音声サービスを許可するシステムまたはネットワークのリストが通常保持される。ブラックリストを格納および使用することは、同一のワイヤレスネットワーク上のデータサービスに繰り返しアクセスしようとする不必要な試みを避けるのに役立つ。現在のブラックリスト１２２は、現在のところパケットデータサービスをモバイルデバイスに提供しないワイヤレスネットワークを識別し、モバイルデバイスのメモリに格納される。現在のブラックリスト１２２はパケットデータサービスの利用可能性に関する以前のデータに基づく。そのようなデータは以下のように取得され得る。
【００３１】
モバイルデバイス１０４は通常、プロセッサとトランシーバとを有し、これは送信器と受信器とを含む。受信器はワイヤレスネットワークから電波で受信した情報フレームをデコードするのに用いられる。情報フレームは、より高い層のプロトコルスタックペイロードを運び得、たとえばＰＤＳＮといったワイヤレスネットワークにおける異なるエンティティからのペイロードを含み得る。受信した情報フレームはプロセッサにパスされ、プロセッサはそれからアクションの次のコースを確定する。送信器は、プロセッサから指示される様にワイヤレスネットワークに情報フレームを電波で送信するのに用いられる。情報フレームはプロトコルスタックにおけるより高い層のペイロードを運ぶ。
【００３２】
データ認証の点からは、プロセッサは通常、ワイヤレスネットワークから受信した、入ってくるパケットデータサービス認証フレームならびにモバイルデバイスから送信された、出て行くパケットデータサービス認証フレームを処理する。そのようなパケットデータサービス認証フレームの交換に関する一般的なステップは、この技術分野において周知である。たとえば、入ってくるパケットデータサービス認証フレームは、パケットデータサービス認証リクエストを含み得る。そのリクエストに応答して、プロセッサは適切な応答を準備する。その応答は、出て行くパケットデータサービス認証フレームを用いて送信される。ワイヤレスネットワークはそれから、認証ステップを行う。認証承諾または拒絶に関する情報は通常、モバイルデバイスに送信される。もちろん、これら交換のいずれかは１つ以上の情報フレーム、パケットまたはデータ伝送の他のユニットを備え得るか、もしくはそれらに分割され得る。
【００３３】
モバイルデバイスとワイヤレスネットワークとの間でパケットデータサービス認証情報の交換は通常、ワイヤレスネットワーク上でパケットデータ呼出しの試みをするモバイルデバイスがある状況で開始される。認証ステップは単にデータ呼出しプロセスの一部である。
【００３４】
現在のブラックリスト１２２は、以前に処理された、入ってくるパケットデータサービス認証情報に基づく。パケットデータサービスがモバイルデバイスに提供されないとき、パケットデータサービス認証拒絶がワイヤレスネットワークから受信される。したがって、現在のブラックリスト１２２は、特に、受信したパケットデータサービス認証拒絶に基づく。現在のブラックリスト１２２はまた、新しく受信したパケットデータサービス認証拒絶に応答して、プロセッサによって更新される。現在のブラックリスト１２２は、有利に、図７に関連して後に説明されるように、そのシステム識別子およびネットワーク識別子のペアによってワイヤレスネットワークを識別する。
【００３５】
特定の実施形態において、現在のブラックリストはパケットデータサービスをモバイルデバイスに提供しない各システムへのタイマー値を含む。タイマー値を含むことは、パケットデータサービスを提供しないワイヤレスネットワークに関して状況が変化したかどうかを判断するために、適切な時にその後に続くパケットデータサービス認証リクエストを送信する機会を提供することを意図されている。タイマー値は、有利に、当業者にとって周知のように、エイジタイマー（ａｇｅ  ｔｉｍｅｒ）として実行され得る。図７に示されるようにエイジタイマー１３４で用いられる値の選択はシステムパラメータの知識と、そのようなパラメータの変化の見込みに基づかれ得る。たとえば、ワイヤレスネットワークのネットワーク装置に関連する問題を有するか、もしくはそのネットワーク装置への変化を有するものとして知られるワイヤレスネットワークに対して、エイジタイマーは多数にある分数から多数にある日数までのどこにでも設定され得る。データローミングサービスを提供する交渉の主体であるワイヤレスネットワークに対して、エイジタイマーは多数にある日数から多数にある週または月数までのどこにでも設定され得、予期された変化をモニターする。
【００３６】
前述したように、モバイルデバイスはそれ自身の現在のブラックリストを維持および更新する。これは、各モバイルデバイスが、それが取得し得るワイヤレスネットワークに関して、それ自身の特定の能力と要求とを有し得るので有利である。現在のブラックリストは、好ましくは、モバイルデバイスのメモリに格納される。別の実施形態では、モバイルデバイスの現在のブラックリストに格納された情報は、サーバに送信され得る。現在のブラックリストは、ブラックリストに載せられたワイヤレスネットワークの識別がサーバにパスされたか否かを示すフラグを含み得る。現在のブラックリストの任意の部分は、有利にモバイルデバイスからリモートサーバ（たとえば、モバイルデバイスのホームサーバ）に送信され得、その後、このサーバに情報は格納され得る。
【００３７】
サーバは種々のワイヤレスネットワークに関する現在の情報を、複数のモバイルデバイスから収集し得る。サーバは、送信することが有益である特定の場合に、サーバに格納された現在のブラックリストをモバイルデバイスに送信し得る。たとえば、モバイルデバイスがその現在のブラックリストにおける情報を紛失した場合、スクラッチからそれを構築することよりもむしろ、サーバに格納された現在のブラックリストを受信し得る。サーバに格納された現在のブラックリストは、特定のサーバのメモリに格納され得、またはサーバが通信している別のサーバのメモリに格納され得る。サーバは異なるモバイルデバイスからのレポートに基づく複合現在のブラックリストを構築し得る。この格納された情報は、それから他のモバイルステーションに再び送信され得る。
【００３８】
図６Ａおよび図６Ｂは、本発明の実施形態に従った方法におけるステップを示すフローチャートを図示する。図６Ａのステップ２００において、モバイルデバイスは、ＰＲＬの情報およびユーザによって特定されたネットワークスキャンモードの設定に基づく、システムまたはワイヤレスネットワークの取得を開始する。システム取得は、たとえば、モバイルデバイスのラジオ機能をオンにすることによるサービスの変化／損失、より良いサービスを受信する試み、ネットワークに方向付けされた出力先変更（ｒｅｄｉｒｅｃｔｉｏｎ）、好ましいシステムを再スキャンする等といった多数の条件のうち任意の１つによって開始され得る。
【００３９】
システムが取得されると、システムは好ましくは、ステップ２０２において、モバイルデバイスはＣＤＭＡ登録を送信することを要求されているか否かを判断される。システムが登録を要求する場合、登録する試みが開始される。ステップ２０４において、システムは、ＣＤＭＡ登録の試みが成功したか否かを判断される。成功した場合、方法はステップ２０６に続き、成功しなかった場合、方法は第１のステップ２００に戻り異なるシステムを取得することを試みる。ステップ２００〜２０４はデータサービスディスカバリの周知の方法で用いられるステップである。
【００４０】
ステップ２０６では、システムは取得されたＣＤＭＡシステムまたはネットワークがパケットデータサービスに対応するか、もしくは対応し得るか否かを判断される。システムは通常、パケットデータサービスが対応されるか否かを伝達するインジケータを有する。そのようなインジケータの一例は、ＲＮのプロトコル改訂（ｒｅｖｉｓｉｏｎ）（たとえば、ＣＤＭＡ２０００ネットワーク内で６より以上のプロトコル改訂）である。
【００４１】
しかしながら、そのようなインジケータは、パケットデータサービスが対応されることを絶対的に保証するものではない。これは、そのようなネットワークの６（ＩＳ−２０００は０をリリースする）のプロトコル改訂は必ずしも、パケットデータサービスが対応されることを意味しないからである。方法におけるさらなるステップは、パケットデータサービスがモバイルデバイスに関して、提供されかまたは許可されるかを確認する。このステップは単に、そのようなサービスが確実に対応されない条件を除外する。ネットワークがパケットデータサービス（たとえば、ＣＤＭＡＯｎｅネットワークにおえてプロトコル改訂＜６）に対応しない場合、ステップ２０８を参照して、モバイルデバイスは音声およびＳＭＳトラフィックのみを許可し、パケットデータサービスが利用可能ではないことをユーザに通知する。ネットワークがパケットデータサービスに対応するか、もしくは対応し得ることを示す場合、方法はステップ２１０に進む。
【００４２】
ステップ２１０において、現在のシステムまたはワイヤレスネットワークが現在のブラックリストにあるか否かについて判断される。これは通常、現在のＳＩＤを現在のブラックリストに格納されたＳＩＤ値と比較することによって行われる。現在のＳＩＤが現在のブラックリストに見つかった場合、方法はステップ２１２に進み、ここでモバイルデバイスは音声およびＳＭＳトラフィックのみを許可し、パケットデータサービスは現在のネットワークから提供されないことをユーザに通知する。そのような場合、データ呼出しの試みはされない。
【００４３】
現在のＳＩＤが現在のブラックリストにない場合、（モバイルデバイスがまだアクティブデータセッションを有していない場合）方法は図６Ｂのステップ２１４に進む。これは、ラジオがＯＮに切替えられるとき、または、モバイルデバイスが以前に訪れたシステムにデータセッションを構築できないときの場合である。このステップでは、モバイルデバイスは、データ呼出しを構築するよう試みる。これは、パケットデータ呼出しを開始してＰＰＰセッションをセットアップし、ＩＰアドレスを取得するよう試みるモバイルデバイスによって達成され得る。モバイルデバイスが既にデータセッションを構築していた場合、つまり、ＩＰアドレスを有する休止状態にある場合、方法はステップ２１５に進む。ステップ２１５では、モバイルデバイスはデータセッションを再度接続するよう試みる。このプロセスは、小さな違いはあるもののステップ２１４に類似する。
【００４４】
ステップ２１６では、ネットワーク認証が失敗した（すなわち、パケットデータサービス認証拒絶が受信される）か否かについて判断される。ＳＩＰネットワークでは、モバイルデバイスはＣＨＡＰまたはＰＡＰを用いるネットワークによって認証され、これはデバイスのユーザＩＤおよびパスワードをネットワークが知っていると仮定する。デバイスがパケットデータサービスから見て、ネットワークへの不明なエンティティであると判明すると、認証は失敗し、パケットデータサービスは拒絶される。認証が失敗すると、方法はステップ２１８に進み、ここでモバイルデバイスはシステムのＳＩＤを現在のブラックリストに入力または追加し、タイマーを開始して、タイマーが満了するまでシステム上にデータセッションをセットアップしようと試みることを停止する。タイマー値はエイジタイマーであり得る。このステップに続いて、方法は図６Ａのステップ２１２に進み、ここで、デバイスは音声およびＳＭＳを許可し、パケットデータサービスはネットワークから提供されないことをユーザに知らせる。
【００４５】
デバイスが別のシステムに移動するとき、デバイスは最初に新しいシステムがパケットデータサービスに対応するか否かをチェックする。対応する場合、前述のステップにまとめられるように、デバイスはその後、システムが現在のブラックリストにあるか否かをチェックする。システムが現在のブラックリストにある場合、デバイスは、そのシステム上でデータ呼出しの試みをすることを控える。そうでない場合、デバイスはデータセッションが活動状態であることを保持するために再接続するよう試みる。システムが認証を失敗する場合、新しいシステムはまたブラックリストに載せられ、関連のエイジタイマーが満了するまでデータの再試行の試みは行われない。
【００４６】
ステップ２１６でネットワークがモバイルデバイスをうまく認証する場合、ネットワークはデータサービスをモバイルデバイスに提供すると判断され、方法はステップ２２０に進む。方法はまた、好ましくは、ステップ２１８内に、ＳＩＤを「報告せず」とするステップを含む。その後、ステップ２２０で、現在のブラックリストにいずれのエントリも報告されていないかを判断される。ここで「報告」という用語は、モバイルデバイス以外のデバイス（たとえば、モバイルデバイスに関連したホームサーバ）へのそのようなエントリの通信を表すのに用いられている。
【００４７】
従って、現在のブラックリストに報告されないエントリがある場合、ステップ２２２でホームサーバはＳＩＤの変更を通知され、「新」ブラックリストに載せられたＳＩＤが報告される。現在のブラックリストに報告されないエントリがない場合、好ましいステップ２２４は、現在のＳＩＤは「一度ブラックリストに載せられた」（ｏｎｃｅ  ｂｌａｃｋｌｉｓｔｅｄ）テーブルに格納されるかを判断する。「一度ブラックリストに載せられた」テーブルは、特定期間内にブラックリストに載せられていた全てのＳＩＤのヒストリーなリストを保持することを除いて、下にまとめられるように、構造上は現在のブラックリストに類似する。現在のＳＩＤが「一度ブラックリストに載せられた」テーブルにある場合、方法はホームサーバに現在のＳＩＤのステータスにおける変化を通知することに進み、現在のＳＩＤは「一度ブラックリストに載せられた」テーブルから除去される。現在のＳＩＤが「一度ブラックリストに載せられた」テーブルにない場合、方法はステップ２２８に進み、ここで、モバイルデバイスはうまくパケットデータセッションを構築または再構築しており、モバイルデバイスがデータを送信または受信することを行うときはいつでも休止状態を入力する。
【００４８】
別の実施形態では、方法はさらに現在のブラックリストをホームサーバからモバイルデバイスに「プッシュ（ｐｕｓｈ）」ステップを包含する。これは容易に成し遂げられ得る。なぜならば、ホームサーバは所定のワイヤレスサービスプロバイダへのデータローミング契約に関して最新を保持し得、そのワイヤレスサービスの会員である全てのモバイルデバイスはそれに応じて知らされ得る。ある場合、このブラックリストは、同じキャリアに属するモバイルデバイスからの報告に基づいてホームサーバにて形成された複合現在のブラックリストであり得る。情報がモバイルデバイスにプッシュされる場合、その後、新しいシステムに入るところのモバイルデバイスに事前警告を提供する。モバイルデバイスがＲＮにおいて電力消費上げて、サーバと登録するとき、サーバはまた最近ブラックリストに載せられたシステムの情報を送信し得、その結果モバイルデバイスはそのようなＲＮにおけるデータの発生を避けることができる。
【００４９】
図７は、本発明の実施形態に従った例示的な現在のブラックリストを表したものである。現在のブラックリスト１２２は、パケットデータサービスが提供されない、ワイヤレスネットワークとして現在リストに載せられるＳＩＤに関する情報を含む。現在のブラックリストは、好ましくは以下のデータを含む各エントリまたは行（ｒｏｗ）を有するテーブルとして格納され得る。つまり、ＳＩＤの識別１３２、タイマー値１３４（たとえば、エイジタイマー）およびフラグ１３６のデータを含む。ＳＩＤ識別は、対応するＮＩＤの識別を含み得る。関連のタイマーは、ＳＩＤがはじめにブラックリストに載せられる時に開始し、満了するまでカウントダウンし、満了時にエントリが、好ましくは、現在のブラックリストから除去される。フラグ１３６は、ブラックリストに載せられたＳＩＤが、たとえばホームサーバといったサーバにパスされたかを示し、許可された値は好ましくはＹＥＳまたはＮＯである。適切な初期のタイマー値が選択され得、その後、ＳＩＤはたとえば一ヶ月間ブラックリストから除去される。以前にブラックリストに載っていたＳＩＤを有するシステムに次に遭遇するとき、パケットデータサービスの利用可能性が再度チェックされる。代わりの実施形態では、モバイルデバイス上のラジオサービスがオフにされると、現在のブラックリスト全体がリセットまたはクリアされ得る。
【００５０】
現在のブラックリストまたはこの一部がクリアされるリセット条件には、２つのタイプがある。つまり、タイマーリセット条件およびプロビジョニング（ｐｒｏｖｉｓｉｏｎｉｎｇ）リセット条件である。「タイマーリセット条件」という用語は、任意の場合（たとえばエイジタイマーの期限満了、モバイルデバイスまたはそのラジオの電源をオフにする）を参照するのに用いられ、ここで、現在のブラックリストの個々のエントリがクリアにされることになっている。たとえば、現在のブラックリストのワイヤレスネットワークのエントリは、そのエイジタイマーの期限満了でクリアにされる。その地点の後、次にモバイルデバイスがそのワイヤレスネットワークに遭遇する時は、状況が変化していた場合、そのシステム上でパケットデータサービスを取得するよう新たに試みる。モバイルデバイスの現在のブラックリストは、モバイルデバイスがオフに切替えられるとき、またはデバイスのラジオがオフに切替えられるとき、二者択一にクリアにされ得る。
【００５１】
モバイルデバイスはまた、プロビジョニングリセット条件に応答して、現在のブラックリスト全体をクリアにし得る。「プロビジョニングリセット条件」は、たとえばＳＩＰのユーザＩＤまたはパスワードといったプロビジョニングパラメータまたは認証パラメータにおける任意の変化を含む。そのような変化はモバイルデバイスが始めて提供される後に、または新しいパラメータとともに再度プロビジョンされる後に生じる。プロビジョニングプロセスは放送上または手動で行われ得る。プロビジョニングリセット条件が起きる場合、モバイルデバイスは、変更されたパラメータの観点から、ブラックリストはもはや有効ではない可能性があるので、自動的に現在のブラックリストをクリアする。
【００５２】
デバイスが１つ以上の他のワイヤレスネットワーク上でサービスを拒絶された後に、データセッションを再構築するときはいつでも、デバイスは、ホームサーバにまだ報告されていないブラックリストに載せられたＳＩＤのリストを送信し得る。さらに、デバイスはまた、かつてブラックリストに載せられたが、今はパケットデータサービスを提供するＳＩＤのリストを維持する。デバイスがサーバにステータスの変更を通知すると、対応するエントリがクリアされる。サーバがワイヤレスネットワークのステータス変更と、ワイヤレスネットワークが今はパケットデータサービスを提供することを通知されると、サーバはまた、他のモバイルデバイスにこのステータス変更を通知し得、その結果、他のモバイルデバイスの全てがそのワイヤレスネットワークのエントリをクリアし得、そのワイヤレスネットワークにデータ発生を避けない。
【００５３】
図８は、典型的なモバイルデバイスに対して、従来のＯＳＩネットワーク層モデル１３８と同類の層モデル１４０との間の関係を示す。デバイスドライバ層１４２、オペレーティングシステム層１４４およびラジオ層１４６は、全体でラジオセクションと呼ばれ得る。Ｊａｖａ（登録商標）／Ｒａｄｉｏインターフェース１４８は、ラジオセクション層とＪａｖａ（登録商標）セクション層との間の通信を容易にする。この例におけるアプリケーションはＪａｖａ（登録商標）ベースで示されるが、このアプリケーションはその他の高レベル言語に基づき得る。Ｊａｖａ（登録商標）セクションはＪａｖａ（登録商標）仮想マシーン層１５０とＪａｖａ（登録商標）アプリケーション層１５２とを含む。図６で示されるステップは、二者択一にＪａｖａ（登録商標）セクションと識別される層において行われ得るが、好ましくは、ラジオセクションと識別される層において行われる。
【００５４】
本発明の前述の実施形態は、例のみであるものと意図される。代替、修正および変更は、本発明の範囲から逸脱せずに、当業者によって特定の実施形態に実行され得、ここに添付された請求項によってのみ規定される。
【図面の簡単な説明】
【００５５】
【図１】図１は、種々のシステム識別とネットワーク識別子との間の関係を示すネットワーク雲を図示する。
【図２】図２は、従来の好ましいローミングリストを簡略的に表したものを示す。
【図３】図３は、単純なＩＰネットワークにおける認証に用いられたシステムを示す。
【図４】図４は、モバイルＩＰネットワークにおける認証に用いられたシステムを示す。
【図５】図５は、ワイヤレスネットワークコンポーネントおよびモバイルデバイスのホームサーバという状況での、本発明の実施形態に従ったモバイルデバイスを示す。
【図６Ａ】図６Ａは、本発明の実施形態に従った方法のステップを示すフローチャートを示す。
【図６Ｂ】図６Ｂは、本発明の実施形態に従った方法のステップを示すフローチャートを示す。
【図７】図７は、本発明の実施形態に従った例示的な現在のブラックリストを表したもの示す。
【図８】従来のＯＳＩネットワーク層モデルとモバイルデバイスへの層モデルとの関係を示す。
【図１】
2006505201.tif 000003
【図２】
2006505201.tif 000004
【図３】
2006505201.tif 000005
【図４】
2006505201.tif 000006
【図５】
2006505201.tif 000007
【図６Ａ】
2006505201.tif 000008
【図６Ｂ】
2006505201.tif 000009
【図７】
2006505201.tif 000010
【図８】
2006505201.tif 000011
【手続補正書】
【提出日】平成16年8月26日(2004.8.26)
【手続補正１】
【補正対象書類名】特許請求の範囲
【補正対象項目名】全文
【補正方法】変更
【補正の内容】
【特許請求の範囲】
【請求項１】
ワイヤレスネットワークによって提供されるパケットデータサービスと音声サービスとをサポートする能力があるモバイルデバイス（１０４）であって、
パケットデータサービス認証情報を該ワイヤレスネットワークと交換するトランシーバと、
メモリと、
該メモリに提供されたパケットデータサービス（１２２）ブラックリストであって、該パケットデータサービスブラックリストはパケットデータサービスを該モバイルデバイスに提供しないワイヤレスネットワークを識別し、該パケットデータサービスブラックリストは以前のパケットデータサービス認証拒絶に基づいており、かつ、音声サービスブラックリストと区別される、パケットデータサービスブラックリストと、
新しく受信したパケットデータサービス認証情報に応答して、該パケットデータサービスブラックリストを更新するプロセッサと
を備える、モバイルデバイス。
【請求項２】
前記パケットデータサービスブラックリストは、
パケットデータサービスを前記モバイルデバイスに提供しない各ワイヤレスネットワークのためのシステム識別子およびネットワーク識別子（１３２）と、
パケットデータサービスを該モバイルデバイスに提供しない各ワイヤレスネットワークのためのタイマー値（１３４）と、
パケットデータサービスを該モバイルデバイスに提供しない各ワイヤレスネットワークのための年齢タイマーと、
ブラックリストに載せられたワイヤレスネットワークの識別がサーバにパスされたか否かを示すフラグ（１３６）とから成るグループから選択される要素を含む、請求項１に記載のモバイルデバイス。
【請求項３】
前記パケットデータサービスブラックリストは、サーバから受信した複合パケットデータサービスブラックリストを含む、請求項１に記載のモバイルデバイス。
【請求項４】
パケットデータサービス（１２２）ブラックリストを有するモバイルデバイス（１０４）のためのデータサービス発見方法であって、
ワイヤレスネットワークを検出するステップと、
該モバイルデバイスに格納された該パケットデータサービスブラックリストを検査するステップであって、該パケットデータサービスブラックリストは音声サービスブラックリストと区別される、ステップと、
該検出されたワイヤレスネットワークが該パケットデータサービスブラックリストに載っていた場合、所定期間いずれのパケットデータ呼び出しの試みもすることを控えるステップと、
さもなければ、該ワイヤレスネットワークがパケットデータサービスを該モバイルデバイスに提供するか否かを判断し、該ワイヤレスネットワークが該モバイルデバイスにパケットデータサービスを提供しない場合、該ワイヤレスネットワークを該パケットデータサービスブラックリストに追加するステップと
を包含する、方法。
【請求項５】
前記検査するステップの前に、前記ワイヤレスネットワークがデータサービスをサポートするか否かを判断するステップをさらに包含する、請求項４に記載の方法。
【請求項６】
前記ワイヤレスネットワークがパケットデータサービスを前記モバイルデバイスに提供するか否かを判断するステップは、該ワイヤレスネットワーク上の該モバイルデバイスを認証するステップを包含する、請求項４に記載の方法。
【請求項７】
前記パケットデータサービスブラックリストに追加されるワイヤレスネットワークと関連する年齢タイマーを開始するステップと、
リセット条件を満たすことに応答してワイヤレスネットワークと関連する年齢タイマーをクリアするステップと、
新しくブラックリストに載せられたワイヤレスネットワークのサーバを通知するステップと、
サーバから複合パケットデータサービスブラックリストを受信するステップとから成るグループから選択されるステップをさらに包含する、請求項４に記載の方法。
【請求項８】
プロビジョニングリセット条件に応答して前記パケットデータサービスブラックリストをクリアするステップをさらに包含する、請求項４に記載の方法。
【請求項９】
モバイルデバイスが、以前にパケットデータサービスを該モバイルデバイスに提供していなく、かつ現在パケットデータサービスを該モバイルデバイスに提供しているワイヤレスネットワークを発見する場合、前記サーバに通知を送信するステップと、
該サーバから他のモバイルデバイスに通知を送信して、以前にパケットデータサービスを提供してないが最近パケットデータサービスを提供しているワイヤレスネットワークのエントリをクリアするステップとから成るグループから選択されるステップをさらに包含する、請求項４に記載の方法。
【請求項１０】
ワイヤレスネットワークにおいてパケットデータサービスが通知する方法であって、
該ワイレスネットワークは、サーバ（１２８）とモバイルデバイス（１０４）とを含み、
該方法は、
該サーバにおいて、新しく電源投入されたモバイルデバイスの登録を受信するステップと、
該新しく電源投入されたモバイルデバイスにパケットデータサービスを提供しないワイヤレスネットワークを識別するサーバに格納されたパケットデータサービス（１２２）ブラックリストを取り出すステップであって、該サーバに格納されたパケットデータサービスブラックリストは音声サービスブラックリストと区別される、取り出すステップと、
該サーバに格納されたパケットデータサービスブラックリストを該サーバから該新しく電源投入されたモバイルデバイスに送信して、該モバイルデバイスが受信して格納するステップとを包含する、方法。
【手続補正２】
【補正対象書類名】明細書
【補正対象項目名】０００４
【補正方法】変更
【補正の内容】
【０００４】
ＣＤＭＡモバイルデバイスは、通常、好ましいローミングリスト（Ｐｒｅｆｅｒｒｅｄ  Ｒｏａｍｉｎｇ  Ｌｉｓｔ）（ＰＲＬ）と呼ばれるエンティティを有するオペレータによって予めプログラミングされている。ＰＲＬはまた、周知の電波媒体で提供する方法を用いてモバイルデバイスにダウンロードされ得る。図２は、従来の好ましいローミングリスト１０２を簡略化して表したものを示す。ＰＲＬは、多数の数を備え、どのシステムをモバイルデバイスは取得することを許可されるのかを示す。この例では、各記録がその（ＳＩＤ、ＮＩＤ）ペアによってシステムを識別し、システムを取得しようと試みるときにモバイルデバイスが用いることになっている周波数を提供する。各記録に対して、システムが好ましいか否か、ローミングステータス、システムの相対的な優先順位、およびシステムの地理的領域のインジケータがあり得る。システム取得の一部として、モバイルデバイスはＰＲＬに基づく一組の周波数にＣＤＭＡ監視チャネル（ＣＤＭＡ  Ｐｉｌｏｔ  Ｃｈａｎｎｅｌ）を検索する。取得されたシステムの（ＳＩＤ／ＮＩＤ）情報は、モバイルデバイスが監視チャネルを取得すると、同期チャネル（Ｓｙｎｃ  Ｃｈａｎｎｅｌ）上のモバイルデバイスに伝達される。ＰＲＬは、モバイルデバイスが取得することを許可されるシステムに関する情報を含むのみである。ＰＲＬは、所定のネットワーク上で許可されるサービスのタイプに関する情報は有さない。通常、ＰＲＬは、ある程度の音声サービスがネットワーク上で利用可能であることを示すのみである。
Ｗｉｌｌｉａｍらによる、２００２年９月５日に公開された米国特許出願公報、Ｎｏ．ＵＳ２００２／０１２３３４８は、名称「Ｐａｒｔｉａｌ  Ｓｕｐｐｏｒｔ  ｏｆ  Ｍｏｂｉｌｉｔｙ  Ｂｅｔｗｅｅｎ  Ｒａｄｉｏ  Ａｃｃｅｓｓ  Ｎｅｔｗｏｒｋｓ」である。この参考文献は、競合領域において、第１のオペレータのネットワークのセルにアクセスすることを不可能にするか、もしくは拒絶する技術に関し、ここで、第２のオペレータのネットワークに登録するモバイル端末が、またはそのようなモバイル端末の代わりにアクセスを試みる。それは、サービスの利用可能性という理由よりはむしろ政治的な理由のため、ネットワークオペレータによってセルを禁止することまたはブラックリストに載せることに関する。ネットワークはセル選択という視点からは「均等物」であると考えられるが、この参考文献は、競合領域における競争相手のネットワークのセルを選択することを避ける機能を記述する。
Ｌｅｕｎｇらによる、２００２年１０月１０日に公開された米国特許出願公報、Ｎｏ．２００２／０１４７０１２は、名称「Ｍｏｂｉｌｅ  Ｃｏｍｍｕｎｉｃａｔｉｏｎ」である。この参考文献は、携帯電話、特に新しくパワーアップされた装置へのローミングサービスを自動的に構築する方法を記述する。この方法は、通知を受信するステップと、リストを検索し、新しく動力を備えたモバイル装置に送信するステップとを含む。この記述は、技術的に広く知られている、電波通信媒体で更新する異なる方法に触れる。目的は、柔軟性を与えることにより、場所の更新手順におけるモバイルネットワークの指示を制御することである。好ましいローミングネットワークが選ばれた、または柔軟な優先順位で選択されることを保証するメカニズムが提供される。
Ｊｕｌｔｉｌａによる、２００１年１月１８日に公開されたＰＣＴ出願、Ｎｏ．ＷＯ  ０１／０５１６９は、名称「Ｍｏｂｉｌｅ  Ｓｔａｔｉｏｎ  Ｃｏｎｔｒｏｌｌｅｄ  Ｆｏｒｂｉｄｄｅｎ  ＰＬＭＮ  Ｌｉｓｔ  Ｅｒａｓｕｒｅ」である。この参考文献は、モバイルステーションプロセッサにアクセス可能なメモリに格納された、禁止されたＰＬＭＮリストを有するモバイルステーションを開示する。それは、ＰＬＭＮリストの消去のみに関しており、ネットワークを禁止する基準については検討せず、また、リストの選択的な消去以外は何も議論されていない。
【国際調査報告】
2006505201.tif 000012
2006505201.tif 000013
2006505201.tif 000014